(57)【要約】【課題】  本発明の目的は、変形容易な密閉容器に入れられている感光材料の補充液、及び処理液の容量低下を検出し、警報を発する装置であり、警報解除後、再度該装置をセットし忘れるのを防止する簡便な装置を提供すること。【解決手段】  感光材料を処理する処理液の容量下限を検出する装置であって、処理液を乗せる台と、該台を上方に押し上げる方向に力を加える圧縮バネと、該台を該圧縮バネが押し上げたことを検出する検出手段と、容量下限を検出したことを伝達する伝達手段を有する感光材料を処理する処理液の容量下限を検出する感光材料処理装置【選択図】  図１
2005241878.tif 000002
【特許請求の範囲】
【請求項１】
感光材料を処理する処理液の容量下限を検出する装置であって、処理液を乗せる台と、該台を上方に押し上げる方向に力を加える圧縮バネと、該台を該圧縮バネが押し上げたことを検出する検出手段と、容量下限を検出したことを伝達する伝達手段を有する感光材料を処理する処理液の容量下限を検出する感光材料処理装置。
【請求項２】
前記伝達手段として発光手段、及びブザーを用い、該発光手段を乗せる支柱と、該支柱を倒すことにより、前記発光手段、及びブザーを停止させる停止手段を有する請求項１記載の感光材料処理装置。
【発明の詳細な説明】
【技術分野】
【０００１】
本発明は、露光された感光材料を現像処理する処理装置に関する。
【背景技術】
【０００２】
フィルム、印画紙、印刷版等の感光材料は画像が記録された後に、現像液、定着液、安定化液、水洗水等の処理液によって処理される。このような処理を行なう感光材料の処理装置としては、複数の搬送ローラー対等により構成される搬送手段により、処理液を貯溜した処理槽中に感光材料を搬送し、感光材料を処理液中に浸漬することにより処理を行なう浸漬型の処理装置が知られている。
【０００３】
また、感光材料を処理液中に浸漬するかわりに、感光材料の処理に必要なだけの処理液をローラを介して感光材料に塗布して処理を行なう塗布方式もある。例えば、特開昭６２−２３７４５５号公報、特開平５−２８９３４５号、特開平１０−６２９５１号公報、特開２００２−７２４８５号公報等に開示されている（特許文献１〜４）。
【０００４】
上記処理装置に用いられる補充液、及び処理液は、大気中の炭酸ガスや酸素による経時疲労等により劣化するため、変形容易な密閉容器に入れられている。このため、容器中の液面を検知して、補充液、及び処理液の容量低下を検出する装置（例えば、フロートセンサによる液面検知、容器中の伝導度の変化による液面検知等）により、容量低下を検出することができない。
【特許文献１】特開昭６２−２３７４５５号公報（第１頁〜第２頁、図１）
【特許文献２】特開平５−２８９３４５号公報（第１頁〜第２頁、図２）
【特許文献３】特開平１０−６２９５１号公報（第１頁、図１）
【特許文献４】特開２００２−７２４８５号公報（第１頁、図１）
【発明の開示】
【発明が解決しようとする課題】
【０００５】
本発明の目的は、変形容易な密閉容器に入れられている感光材料の補充液、及び処理液の容量低下を検出し、警報を発する装置であり、警報解除後、再度該装置をセットし忘れるのを防止する簡便な装置を提供することである。
【課題を解決するための手段】
【０００６】
本発明の上記目的は、下記の発明によって達成された。
（１）感光材料を処理する処理液の容量下限を検出する装置であって、処理液を乗せる台と、該台を上方に押し上げる方向に力を加える圧縮バネと、該台を該圧縮バネが押し上げたことを検出する検出手段と、容量下限を検出したことを伝達する伝達手段を有する感光材料を処理する処理液の容量下限を検出する装置
（２）前記伝達手段として発光手段、及びブザーを用い、該発光手段を乗せる支柱と、該支柱を倒すことにより、前記発光手段、及びブザーを停止させる停止手段を有する前記（１）記載の装置
【発明の効果】
【０００７】
本発明の処理装置により、変形容易な密閉容器に入れられている感光材料の補充液、及び処理液の容量低下を検出し、警報を発する装置であり、警報解除後、再度該装置をセットし忘れるのを防止する簡便な装置ができた。
【発明を実施するための最良の形態】
【０００８】
以下、本発明の装置を図面を用いて詳細に説明する。図２（ａ）は、処理液２が充満している処理液容器１を本発明の装置に乗せたときの概略断面図であり、図２（ｂ）は、処理液２の容量が低下した処理液容器１を本発明の装置に乗せたときの概略断面図である。
【０００９】
図２（ａ）において、本発明の装置は少なくとも、台４、筐体５、圧縮バネ６、台４用リミットスイッチ７、蝶番８、ブザー１１からなる。筐体５には、圧縮バネ６、台４用リミットスイッチ７、及びブザー１１が取り付けられている。筐体５と台４は、各々の一端を圧縮バネ６で支持され、他端を蝶番８で接続されており、蝶番８を支点に台４が上下方向に開く構造になっている。
【００１０】
図２（ａ）に示すように、処理液２が充満している処理液容器１が台４の上に乗っているときは、台４で、圧縮バネ６を収縮させ、台４用リミットスイッチ７を充分押し下げ、台４用リミットスイッチ７の接点を短絡（或いは開放）している。処理液容器１には、処理液供給パイプが挿入されており、図示しないポンプで処理液を感光材料の処理装置に供給する。
【００１１】
図２（ｂ）に示すように、処理液容器１の容量が低下すると、圧縮バネ６が台４を押し上げる。そして、台４が押し上げ距離Ｘまで押し上げられると、台４用リミットスイッチ７の接点が切り替わる。そして、台４用リミットスイッチ７の接点が切り替わることにより、ブザー１１が鳴り、処理液の容量が低下したことを伝達する。台４用リミットスイッチ７の接点が感光材料の処理装置に接続されていれば、処理液の容量低下を感光材料の処理装置に伝達することもできる。
【００１２】
圧縮バネ６のバネ係数は、警報を鳴らす処理液２の重さと、押し上げ距離Ｘにより決定される。例えば、警報を鳴らす処理液２の質量を０．８ｋｇ、処理液容器１、台４等の重さを含む圧縮バネ６に加えられる総質量を１ｋｇ、台４の押し上げ量Ｘを１０ｍｍとした場合、圧縮バネ６のバネ係数は１ｋｇ／１０ｍｍとなる。圧縮バネ６を複数用いる場合、上記バネ係数を圧縮バネの数で除した値のバネ係数を持つ圧縮バネ６を用いる。
【００１３】
図１（ａ）は、処理液の容量が低下したことを伝達する手段としてブザーとランプを用いた本発明の装置の概略図、図１（ｂ）は、図１（ａ）のＡ−Ａ’部概略矢視断面図である。
【００１４】
図１（ａ）及び図１（ｂ）において、本発明の装置は、少なくとも台４、筐体５、圧縮バネ６、台４用リミットスイッチ７、蝶番８、ランプ１０、ブザー１１、支柱１２、軸受１３、カム１４、カム１４用リミットスイッチ１５からなる。
【００１５】
図１（ａ）に示すように、支柱１２は縦棒と横棒で構成されるＬ字状の部材であり、少なくとも横棒は円柱形状をしている。支柱１２の縦棒の端部には、ランプ１０が取り付けられ、支柱１２の横棒は軸受１３によって回転自在に軸支されている。軸受１３は、支柱１２が処理液容器１に干渉しないように装置の側方にて筐体５に固定されている。支柱１２の横棒の端部には、カム１４が取り付けられている。
【００１６】
図１（ｂ）に示すように、支柱１２は、軸受１３を回転中心として回転する。そして、軸受１３には、支柱１２を直立位置、及び水平位置で保持する図示しない保持手段が取り付けられている。カム１４は支柱１２と共に回転し、支柱１２が直立位置から水平位置にに回転したとき、カム１４がカム用リミットスイッチ１５を押し、カム用リミットスイッチ１５の接点が切り替わる。
【００１７】
カム用リミットスイッチ１５は、本発明の装置の「使用」、「不使用」を切り替えるスイッチであり、支柱１２が直立位置のときを「使用」状態に、支柱１２が水平位置のときを「不使用」状態に割り当てている。「使用」状態のときに台用リミットスイッチ７が処理液の容量低下を検出すると警報としてブザー１１が鳴り、ランプ１０が点灯する。支柱が直立位置にあることによりランプ１０の点灯状態を視認し易くなってる。
【００１８】
支柱１２を倒し水平位置にして「不使用」状態にすることにより警報が解除される。このとき、支柱１２が処理液容器１を交換する際の障害物とならない。
【００１９】
図３は、本発明の装置の回路図の一例である。図３の回路では、少なくとも台用リミットスイッチ７、カム用リミットスイッチ１５、ランプ１０、ブザー１１、電源１６で構成されている。
【００２０】
図３において、ランプ１０、ブザー１１は電源１６に並列に接続されている。そして、台用リミットスイッチ７、カム用リミットスイッチ１５は電源１６に直列に接続されており、台用リミットスイッチ７、カム用リミットスイッチ１５の接点のいずれかが開放されるとランプ１０、ブザー１１への電気の供給が停止される。電源１６は、本発明の装置の内部にあっても外部から供給してもよい。
【００２１】
リミットスイッチには、一般にａ接点と呼ばれ、スイッチを押したときに短絡する接点と、一般にｂ接点と呼ばれ、スイッチを押したときに開放する接点がある。台４が圧縮バネ６に押し上げられ、台用リミットスイッチ７が押されていない状態のときに警報を発するためには、図３の回路では台用リミットスイッチ７のｂ接点を使用する。また、図１（ｂ）に示すように支柱１２が水平位置のとき、カム１４がカム用リミットスイッチ１５を押している場合、図３の回路ではカム用リミットスイッチ７のｂ接点を使用することにより、支柱１２が水平位置のときにランプ１０、ブザー１１への電気の供給が停止され、警報が発せられなくなる。
【００２２】
図３に示すような単純な回路を用いることにより、安価に警報装置を提供できる。しかしながら、図３に示すような回路では、警報を停止させるために、回路に直列に接続された停止用スイッチを開いてランプ１０、ブザー１１への電気の供給を停止させる必要がある。警報を停止させるスイッチとして、トグルスイッチやロッカースイッチ等の一般的なスイッチを用いた場合、停止用スイッチの開閉状態を確認し難く、警報装置として用いるときに停止用スイッチを閉じ忘れ易い。本発明の装置では、停止用スイッチとしてカム用スイッチ１５を用い、支柱１２の直立位置と水平位置によりカム用スイッチ１５を開閉するので、停止用スイッチの開閉状態を確認し易い。
【図面の簡単な説明】
【００２３】
【図１】本発明の装置の一例を示す概略図、及び概略断面図
【図２】本発明の装置の一例を示す概略断面図
【図３】本発明の装置の一例を示す概略回路図
【符号の説明】
【００２４】
１  処理液容器
２  処理液
４  台
５  筐体
６  圧縮バネ
７  台用リミットスイッチ
１０  ランプ
１１  ブザー
１２  支柱
１４  カム
１５  カム用リミットスイッチ
【図１】
2005241878.tif 000003
【図２】
2005241878.tif 000004
【図３】
2005241878.tif 000005